(57)【要約】【課題】省エネ行動を実施する順番を判明させることができ、容易かつ効果的に省エネを行うことが可能な省エネアドバイス装置を提供することを目的とする。【解決手段】複数の分岐回路２１〜３６別のエネルギー消費量と基準値（例えば、基準値データ８ａ）とをそれぞれ比較し、基準値よりも過大にエネルギーを消費している分岐回路２１〜３６を判定する比較判定手段（例えば、制御部２および比較判定プログラム７ｂ）と、基準値よりも過大にエネルギーを消費していると判定された分岐回路２１〜３６のうち、エネルギー消費量が多い分岐回路から少ない分岐回路の順番で省エネアドバイスを行うアドバイス手段（例えば、制御部２およびアドバイスプログラム７ｃ）とを備える省エネアドバイス装置１。これにより、どの分岐回路の省エネ行動を優先的に実施すべきかを容易に判明させることができる。【選択図】図１
2012048511.tif 000002
【特許請求の範囲】
【請求項１】
分電盤から分岐する複数の分岐回路別のエネルギー消費量と、該複数の分岐回路別に設定されたエネルギー消費量の基準値とをそれぞれ比較し、基準値よりも過大にエネルギーを消費している分岐回路を判定する比較判定手段と、
基準値よりも過大にエネルギーを消費していると判定された分岐回路のうち、エネルギー消費量が多い分岐回路から少ない分岐回路の順番で省エネアドバイスを行うアドバイス手段とを備えていることを特徴とする省エネアドバイス装置。
【請求項２】
前記分岐回路で消費されるエネルギーは、該分岐回路に接続された機器に使用される電力と、電力と連携して使用されるガスおよび水道とを含んでいることを特徴とする請求項１に記載の省エネアドバイス装置。
【請求項３】
前記アドバイス手段は、エネルギー消費量が基準値と略同量および基準値以下であると判定された分岐回路については省エネアドバイスを行わないように設定されていることを特徴とする請求項１または２に記載の省エネアドバイス装置。
【請求項４】
前記複数の分岐回路の過去のエネルギー消費量が記憶されており、
前記基準値は、分岐回路別の過去のエネルギー消費量の平均値とされていることを特徴とする請求項１〜３のいずれか一項に記載の省エネアドバイス装置。
【請求項５】
前記基準値は、略同一規模の世帯における標準的な複数の分岐回路別のエネルギー消費量に基づいて設定されていることを特徴とする請求項１〜３のいずれか一項に記載の省エネアドバイス装置。
【請求項６】
前記標準的な複数の分岐回路別のエネルギー消費量に基づいて設定される基準値は、前記建物が建築される地域ごとに決定されていることを特徴とする請求項５に記載の省エネアドバイス装置。
【請求項７】
前記基準値の数値を変更する基準値変更手段を備えていることを特徴とする請求項１〜６のいずれか一項に記載の省エネアドバイス装置。
【請求項８】
前記アドバイス手段は、前記基準値変更手段によって基準値の数値を変更する際に、該基準値の推奨上限値についてアドバイスを行うように設定されていることを特徴とする請求項７に記載の省エネアドバイス装置。
【請求項９】
少なくとも前記複数の分岐回路の現在のエネルギー消費量と、分岐回路別のエネルギー消費量の基準値とを表示する表示手段を備えていることを特徴とする請求項１〜８のいずれか一項に記載の省エネアドバイス装置。
【請求項１０】
前記表示手段は、前記比較判定手段によって、基準値よりも過大にエネルギーを消費している分岐回路が判定された場合に警告を表示するように設定されていることを特徴とする請求項９に記載の省エネアドバイス装置。
【発明の詳細な説明】
【技術分野】
【０００１】
本発明は、住宅等の建物内における複数の分岐回路別のエネルギー消費量について省エネアドバイスを行うための省エネアドバイス装置に関する。
【背景技術】
【０００２】
従来、エネルギー消費者（居住者）のエネルギー消費パターンデータに基づいて、省エネ行動を促進する指針を提供するシステムが知られている（例えば、特許文献１）。
特許文献１に記載のような技術によれば、所定の出力端末から、随時、現時点における目標達成に必要な省エネ行動の候補とその候補を実施した場合の省エネ効果値とを確認することができ、どのような省エネ行動を実施すれば、どれだけの省エネ効果を得ることができるのかが判明することになり、効果的な省エネ行動を促進することができる。
【先行技術文献】
【特許文献】
【０００３】
【特許文献１】特開２００５−２６６８７３号公報
【発明の概要】
【発明が解決しようとする課題】
【０００４】
ところが、目標達成に必要な省エネ行動の候補が多数あると、どの省エネ行動から実施すればよいのかが分かりにくいという問題がある。省エネ行動の優先順位が分からないために、例えば省エネ効果値のより高い省エネ行動を優先して実施してしまうと、猛暑日の昼間に冷房を停止してしまったり、入りたい時間に入浴できなかったり等、生活の快適性を損なう場合もある。
そこで、分電盤から分岐するとともにエネルギーを消費する機器が接続された分岐回路のうち、どの分岐回路を優先的に省エネすべきかが分かるような技術の開発が望まれている。
【０００５】
本発明の課題は、省エネ行動を実施する順番を判明させることができ、容易かつ効果的に省エネを行うことが可能な省エネアドバイス装置を提供することを目的とする。
【課題を解決するための手段】
【０００６】
請求項１に記載の発明は、省エネアドバイス装置１であって、例えば図１〜図１４に示すように、分電盤２０から分岐する複数の分岐回路２１〜３６別のエネルギー消費量と、該複数の分岐回路２１〜３６別に設定されたエネルギー消費量の基準値（例えば、基準値データ８ａ）とをそれぞれ比較し、基準値よりも過大にエネルギーを消費している分岐回路２１〜３６を判定する比較判定手段（例えば、制御部２および比較判定プログラム７ｂ）と、
基準値よりも過大にエネルギーを消費していると判定された分岐回路２１〜３６のうち、エネルギー消費量が多い分岐回路から少ない分岐回路の順番で省エネアドバイスを行うアドバイス手段（例えば、制御部２およびアドバイスプログラム７ｃ）とを備えていることを特徴とする。
【０００７】
請求項１に記載の発明によれば、前記複数の分岐回路２１〜３６別のエネルギー消費量と基準値とをそれぞれ比較し、基準値よりも過大にエネルギーを消費している分岐回路２１〜３６を判定する比較判定手段と、基準値よりも過大にエネルギーを消費していると判定された分岐回路２１〜３６のうち、エネルギー消費量が多い分岐回路から少ない分岐回路の順番で省エネアドバイスを行うアドバイス手段とを備えているので、どの分岐回路の省エネ行動を優先的に実施すべきかを容易に判明させることができる。これによって、居住者は、前記アドバイス手段によってアドバイスされる省エネアドバイスに従って省エネ行動を実施するだけで、容易かつ効果的に省エネすることが可能となる。また、基準値よりも過大にエネルギーを消費していると判定された分岐回路だけを省エネの対象とするので、省エネアドバイスに従って省エネ行動を実施したとしても、居住者の生活の快適性が損なわれることを確実に防ぐことができる。
【０００８】
請求項２に記載の発明は、請求項１に記載の省エネアドバイス装置１において、例えば図１〜図１４に示すように、前記分岐回路２１〜３６で消費されるエネルギーは、該分岐回路２１〜３６に接続された機器に使用される電力と、電力と連携して使用されるガスおよび水道とを含んでいることを特徴とする。
【０００９】
請求項２に記載の発明によれば、前記分岐回路２１〜３６で消費されるエネルギーは、該分岐回路２１〜３６に接続された機器に使用される電力と、電力と連携して使用されるガスおよび水道とを含んでいるので、電力の省エネだけを行うのではなく、ガスおよび水道の省エネを行うこともでき、建物全体の省エネ効果を高めることができる。
【００１０】
請求項３に記載の発明は、請求項１または２に記載の省エネアドバイス装置１において、例えば図１〜図１４に示すように、前記アドバイス手段は、エネルギー消費量が基準値と略同量および基準値以下であると判定された分岐回路２１〜３６については省エネアドバイスを行わないように設定されていることを特徴とする。
【００１１】
請求項３に記載の発明によれば、前記アドバイス手段は、エネルギー消費量が基準値と略同量および基準値以下であると判定された分岐回路２１〜３６については省エネアドバイスを行わないように設定されているので、居住者に対して、過大にエネルギーを消費している分岐回路だけを省エネの対象と認識させることができる。これによって、より容易かつ効果的に省エネすることができるとともに、居住者の生活の快適性が損なわれることを、より確実に防ぐことができる。
【００１２】
請求項４に記載の発明は、請求項１〜３のいずれか一項に記載の省エネアドバイス装置１において、例えば図１〜図１４に示すように、前記複数の分岐回路２１〜３６の過去のエネルギー消費量が記憶されており、
前記基準値は、分岐回路２１〜３６別の過去のエネルギー消費量の平均値とされていることを特徴とする。
【００１３】
請求項４に記載の発明によれば、前記基準値は、分岐回路２１〜３６別の過去のエネルギー消費量の平均値とされているので、居住者の生活に見合った基準値を設定することができる。これによって、居住者の生活の快適性が損なわれることを、さらに確実に防ぐことができる。
【００１４】
請求項５に記載の発明は、請求項１〜３のいずれか一項に記載の省エネアドバイス装置１において、例えば図１〜図１４に示すように、前記基準値は、略同一規模の世帯における標準的な複数の分岐回路別のエネルギー消費量（例えば、標準値データ８ｄ）に基づいて設定されていることを特徴とする。
【００１５】
請求項５に記載の発明によれば、前記基準値は、略同一規模の世帯における標準的な複数の分岐回路別のエネルギー消費量に基づいて設定されているので、前記複数の分岐回路２１〜３６のエネルギー消費量の程度を、標準値に照合して判定できることとなる。これによって、分岐回路２１〜３６別の標準的なエネルギー消費量を知ることができるので、居住者に対して、省エネ意識の深化を促すことができる。
【００１６】
請求項６に記載の発明は、請求項５に記載の省エネアドバイス装置１において、例えば図１〜図１４に示すように、前記標準的な複数の分岐回路別のエネルギー消費量に基づいて設定される基準値は、前記建物が建築される地域ごとに決定されていることを特徴とする。
【００１７】
請求項６に記載の発明によれば、前記標準的な複数の分岐回路別のエネルギー消費量に基づいて設定される基準値は、前記建物が建築される地域ごとに決定されているので、前記建物が建築される地域の生活環境に見合った基準値を設定することができる。これによって、居住者に対して、省エネ意識の深化を促しながら、居住者の生活の快適性が損なわれることを、より確実に防ぐことができる。
【００１８】
請求項７に記載の発明は、請求項１〜６のいずれか一項に記載の省エネアドバイス装置１において、例えば図１〜図１４に示すように、前記基準値の数値を変更する基準値変更手段（例えば、制御部２および基準値変更プログラム７ｅ）を備えていることを特徴とする。
【００１９】
請求項７に記載の発明によれば、前記基準値の数値を変更する基準値変更手段を備えているので、居住者の生活に見合った基準値となるように、居住者の任意で基準値の数値を変更することができる。これによって、居住者の生活の快適性が損なわれることを、さらに確実に防ぐことができる。
【００２０】
請求項８に記載の発明は、請求項７に記載の省エネアドバイス装置１において、例えば図１〜図１４に示すように、前記アドバイス手段は、前記基準値変更手段によって基準値の数値を変更する際に、該基準値の推奨上限値についてアドバイスを行うように設定されていることを特徴とする。
【００２１】
請求項８に記載の発明によれば、前記アドバイス手段は、前記基準値変更手段によって基準値の数値を変更する際に、該基準値の推奨上限値についてアドバイスを行うように設定されているので、居住者に対して、基準値が高くなりすぎないように注意喚起することができ、省エネ効果の低下を確実に防ぐことができる。
【００２２】
請求項９に記載の発明は、請求項１〜８のいずれか一項に記載の省エネアドバイス装置１において、例えば図１〜図１４に示すように、少なくとも前記複数の分岐回路２１〜３６の現在のエネルギー消費量と、分岐回路２１〜３６別のエネルギー消費量の基準値とを表示する表示手段（例えば、制御部２および出力手段３、表示プログラム７ａ）を備えていることを特徴とする。
【００２３】
請求項９に記載の発明によれば、少なくとも前記複数の分岐回路２１〜３６の現在のエネルギー消費量と、分岐回路２１〜３６別のエネルギー消費量の基準値とを表示する表示手段を備えているので、前記複数の分岐回路２１〜３６の現在のエネルギー消費量と、分岐回路２１〜３６別の基準値とを確実に認識できるとともに容易に比較できる。
【００２４】
請求項１０に記載の発明は、請求項９に記載の省エネアドバイス装置１において、例えば図１０に示すように、前記表示手段は、前記比較判定手段によって、基準値よりも過大にエネルギーを消費している分岐回路２１〜３６が判定された場合に警告を表示するように設定されていることを特徴とする。
【００２５】
請求項１０に記載の発明によれば、前記表示手段は、前記比較判定手段によって、基準値よりも過大にエネルギーを消費している分岐回路２１〜３６が判定された場合に警告を表示するように設定されているので、警告が表示されたことを確実に認識することができるので、速やかに省エネ行動を実施することができる。
【発明の効果】
【００２６】
本発明によれば、分電盤から分岐する複数の分岐回路別のエネルギー消費量と基準値とをそれぞれ比較し、基準値よりも過大にエネルギーを消費している分岐回路を判定する比較判定手段と、基準値よりも過大にエネルギーを消費していると判定された分岐回路のうち、エネルギー消費量が多い分岐回路から少ない分岐回路の順番で省エネアドバイスを行うアドバイス手段とを備えているので、どの分岐回路の省エネ行動を優先的に実施すべきかを容易に判明させることができる。これによって、居住者は、前記アドバイス手段によってアドバイスされる省エネアドバイスに従って省エネ行動を実施するだけで、容易かつ効果的に省エネすることが可能となる。また、基準値よりも過大にエネルギーを消費していると判定された分岐回路だけを省エネの対象とするので、省エネアドバイスに従って省エネ行動を実施したとしても、居住者の生活の快適性が損なわれることを確実に防ぐことができる。
【図面の簡単な説明】
【００２７】
【図１】本発明に係る省エネアドバイス装置の一例を示すもので、その概略構成を示す図である。
【図２】同、分岐回路の配置の概略構成を示す図である。
【図３】同、省エネアドアイス装置とガスメーターとの接続状態の概略構成を示す図である。
【図４】同、省エネアドアイス装置と流量センサーとの接続状態の概略構成を示す図である。
【図５】省エネアドバイスの流れを示すフローチャートである。
【図６】表示モニタに表示される期間別エネルギー消費量画面の一例を示す概略図である。
【図７】表示モニタに表示される分岐回路別エネルギー消費量画面の一例を示す概略図である。
【図８】表示モニタに表示される比較判定結果画面の一例を示す概略図である。
【図９】表示モニタに表示される比較判定結果画面の一例を示す概略図である。
【図１０】表示モニタに表示される警告画面の一例を示す概略図である。
【図１１】表示モニタに表示されるアドバイスモード選択画面の一例を示す概略図である。
【図１２】アドバイスデータの概要を示す図である。
【図１３】表示モニタに表示される省エネアドバイス画面の一例を示す概略図である。
【図１４】表示モニタに表示される基準値設定画面の一例を示す概略図である。
【発明を実施するための形態】
【００２８】
以下、図面を参照して本発明の実施の形態について説明する。
図１は本発明に係る省エネアドバイス装置の一例を示すもので、その概略構成を示す図である。
図１において符号１は、省エネアドバイス装置を示す。この省エネアドバイス装置１は、出力手段３である表示モニタと、操作者が該装置１を操作するための諸情報を入力するための入力手段４と、各種プログラムを実行して各種の機能を制御する制御部２と、各種プログラムや各種データを記憶するための記憶手段６、居住者の外出を認識する外出認識手段５とを具備している。
これら制御部２、出力手段３、入力手段４、外出認識手段５、記憶手段６とは、バス９を介してそれぞれ接続されている。また、前記出力手段３である表示モニタと、操作部である入力手段４とは、図６〜図１１，図１３および図１４に示すように、隣り合うようにして筺体の表面に設けられており、前記制御部２と、外出認識手段５と、記憶手段６とは筺体内に設けられている。
【００２９】
また、この省エネアドバイス装置１は、前記制御部２によって各種プログラムを実行することによって、省エネを促進するための各種手段を行えるように構成されている。
そして、本実施の形態の省エネアドバイス装置１は、図１〜図４に示すように、分電盤２０から分岐する複数の分岐回路２１〜３６別のエネルギー消費量と、該複数の分岐回路２１〜３６別に設定されたエネルギー消費量の基準値とをそれぞれ比較し、基準値よりも過大にエネルギーを消費している分岐回路２１〜３６を判定する比較判定手段（制御部２および比較判定プログラム７ｂ）と、基準値よりも過大にエネルギーを消費していると判定された分岐回路２１〜３６のうち、エネルギー消費量が多い分岐回路から少ない分岐回路の順番で省エネアドバイスを行うアドバイス手段（制御部２およびアドバイスプログラム７ｃ）とを備えている。
【００３０】
本実施の形態の出力手段３は、上述のように表示モニタとされているが、これに限られるものではない。
すなわち、例えば、音声によって諸情報を出力するものでもよいし、表示モニタ３と音声とを組み合わせてもよいし、家庭にあるテレビを出力手段として利用してもよいし、携帯電話やＰＤＡ（Personal Digital Assistant）等の出力手段で諸情報を出力できるようにしてもよく、適宜変更可能である。
【００３１】
前記入力手段４は、前記表示モニタ３に隣接して設けられる操作部を指している。この入力手段４である操作部では、「切替」キーを押すことによって表示モニタ３の画面を切り替えたり、「メニュー」キーを押すことによってメニュー画面を表示モニタ３に表示させたり、方向キーを押すことによってカーソルを上下左右に動かしたり、「決定」キー押すことによって各種プログラムを実行したり、「戻る」キーによって画面を前の表示画面に戻したり、「ＴＯＰ」キーを押すことによってトップメニュー画面を表示することができるようになっている。
【００３２】
ここで、本実施の形態の省エネアドバイス装置１は、図２〜図４に示すように、通信ケーブル等の通信手段によって、複数の分岐回路２１〜３６が設けられるとともに該複数の分岐回路２１〜３６別の電力の消費量を計測する電力計測手段３７を有する分電盤２０と、ガスの消費量を計測するガスメーター３８と、水の流量を計測する流量センサー３９…とにそれぞれ接続されている。
【００３３】
電力消費量の判定結果を表示するため、前記省エネアドバイス装置１は、図２に示すように、前記分電盤２０に搭載されるとともに前記複数の分岐回路２１〜３６ごとの電力消費量を計測する電力計測手段３７に接続されている。この分電盤２０は、幹線２０ａからの配線を分岐するものである。
なお、前記複数の分岐回路２１〜３６は、コンセント回路や照明回路等の一般回路と、接続される機器の電力消費量に基づいて一般回路と区別される専用回路とに区分されている。この専用回路には、２００ボルト専用回路が必要なエアコンや、１ＫＷ以上の電子レンジ等が接続される。
【００３４】
また、このような一般回路と専用回路とに区分された各分岐回路２１〜３６の電力消費量の計測結果は、前記記憶手段６のプログラム記憶部７に格納された表示プログラム７ａを実行することによって、期間別・分岐回路別・エネルギー種類別に表示可能となっている。
すなわち、前記複数の分岐回路２１〜３６は、図２に示すように、住宅内の所定のエリアに分けて配置されている。なお、これら複数の分岐回路２１〜３６が配置される住宅は、本実施の形態では２階建ての戸建て住宅が採用されており、１階には、リビングと、このリビングに隣接するダイニングと、このダイニングに隣接するキッチンと、住宅内と屋外とを連通する玄関と、浴室、洗面所、トイレからなる１階水周り室とが配設されている。１階と２階との間には階段が配置されており、２階には、階段の降り口付近のホールと、主寝室、子供部屋等の２階部屋が３つと、洗面所、トイレからなる２階水周り室とが配設されている。
【００３５】
そして、分岐回路２１は、リビングに配置されたコンセント回路であり、分岐回路２２は、ダイニングに配置されたコンセント回路であり、分岐回路２３は、リビング・ダイニング用のエアコンが接続される専用回路である。これら分岐回路２１，２２，２３は、リビングエリアとしてエリア分けされている。
【００３６】
また、分岐回路２４は、キッチンに配置されたコンセント回路であり、冷蔵庫が接続されており、本実施の形態では第１キッチンと称する。分岐回路２５は、キッチンに配置されたコンセント回路であり、本実施の形態では第２キッチンと称する。分岐回路２６は、キッチンに配置された専用回路であり、大型の電子レンジが接続されている。これら分岐回路２４，２５，２６は、キッチンエリアとしてエリア分けされている。
【００３７】
また、分岐回路２７は、玄関や水周り室に配置されたコンセント回路であり、分岐回路２８は、トイレに配置された専用回路であり、洗浄便座が接続されている。これら分岐回路２７，２８は、１階水周りエリアとしてエリア分けされている。
また、分岐回路２９は、１階の照明機器が接続される照明回路である。照明機器は、リビング、ダイニング、キッチン、玄関、水周り室に取り付けられており、その他に、屋外灯も用いられている。
【００３８】
また、分岐回路３０は、主寝室、子供部屋等の３つの２階部屋に配置されたコンセント回路であり、分岐回路３１は、２階部屋の１つに配置された専用回路であり、エアコンが接続されている（第１エアコン）。分岐回路３２も、２階部屋の１つに配置された専用回路であり、エアコンが接続されている（第２エアコン）。同じく、分岐回路３３も、２階部屋の１つに配置された専用回路であり、エアコンが接続されている（第３エアコン）。
これら分岐回路３０，３１，３２，３３は、２階部屋エリアとしてエリア分けされている。
【００３９】
また、分岐回路３４は、階段、ホール、水周り室に配置されたコンセント回路であり、分岐回路３５は、トイレに配置された専用回路であり、洗浄便座が接続されている。これら分岐回路３４，３５は、２階水周りエリアとしてエリア分けされている。
また、分岐回路３６は、２階の照明機器が接続される照明回路である。照明機器は、３つの２階部屋、水周り室、階段、ホールに取り付けられている。
【００４０】
さらに、前記リビングエリア２１，２２，２３、キッチンエリア２４，２５，２６、１階水周りエリア２７，２８、１階照明用の分岐回路２９は、１階エリアとしてエリア分けされており、前記２階部屋エリア３０，３１，３２，３３、２階水周りエリア３４，３５、２階照明用の分岐回路３６は、２階エリアとしてエリア分けされている。
【００４１】
したがって、前記省エネアドバイス装置１は、分電盤２０に搭載されるとともに該分電盤２０から分岐された複数の分岐回路２１〜３６ごとの電力消費量を計測する電力計測手段３７に接続されているので、前記表示モニタ３によって各分岐回路２１〜３６の電力消費量をそれぞれ表示することができ、住宅内の電力消費量を分岐回路２１〜３６別に詳細に把握できる。
また、前記表示プログラム７ａに基づいて、住宅内の電力消費量の計測結果を分岐回路別はもちろんのこと、エリア別・住宅全体にも分類して表示可能となっている。
なお、分岐回路の数は適宜変更可能であることは言うまでもなく、どのように配置するかも適宜変更可能である。
【００４２】
また、前記省エネアドバイス装置１は、ガス消費量を表示するため、図１および図３に示すように、住宅全体のガス消費量を計測するガスメーター３８に接続されており、前記表示プログラム７ａは、ガス消費量の計測結果を表示可能に構成されている。
【００４３】
前記ガスメーター３８は、ガス消費量に伴ってパルス信号を出力するパルス出力付ガスメーターであり、このガスメーター３８と前記省エネアドバイス装置１との間には、単位時間当たりのパルス数をカウントするパルスカウンター３８ａが設けられている。
そして、前記省エネアドバイス装置１に備えられた演算手段（図示せず）により、このパルスカウンター３８ａから出力されたパルスカウント値を基にガス消費量を演算し、計測結果を表示モニタ３に表示できるようになっている。
【００４４】
なお、本実施の形態においては、ガス消費量を計測するにあたって前記省エネアドバイス装置１をガスメーター３８に接続したが、これに限られるものではなく、例えば住宅内の所定箇所に複数配管されたガス管のそれぞれに流量センサーを取り付け、これら流量センサーと前記省エネアドバイス装置１とを接続するようにしてもよい。
この時、これら流量センサーにはパルス信号を出力するパルス出力機能を有するものを採用することが好ましい。
【００４５】
また、前記省エネアドバイス装置１は、水道消費量の計測結果を表示するために、図１および図４に示すように、住宅内の所定箇所に複数配管された水道管を流れる水の流量を測定する複数の流量センサー３９…にそれぞれ接続されており、前記表示プログラム７ａは、水道消費量の計測結果を、流量センサー３９…別・住宅全体に分類して表示可能に構成されている。
【００４６】
前記流量センサー３９…は、水道消費量に伴ってパルス信号を出力するパルス出力付センサーであり、これら流量センサー３９…と前記省エネアドバイス装置１との間には、単位時間当たりのパルス数をカウントするパルスカウンター３９ａが設けられている。
そして、前記省エネアドバイス装置１に備えられた演算手段（図示せず）により、このパルスカウンター３９ａから出力されたパルスカウント値を基に水道消費量を演算し、計測結果を表示モニタ３に表示できるようになっている。
【００４７】
なお、本実施の形態においては、水道消費量を判定するにあたって前記省エネアドバイス装置１を複数の流量センサー３９…に接続したが、これに限られるものではなく、住宅全体の水道使用量を測定する水道メーター（図示せず）に接続するようにしてもよい。
この時、この水道メーターにはパルス信号を出力するパルス出力機能を有するものを採用することが好ましい。
【００４８】
以上のように、本実施の形態において、前記分岐回路２１〜３６で消費されるエネルギーは、該分岐回路２１〜３６に接続された機器に使用される電力と、電力と連携して使用されるガスおよび水道とを含んでいるものとする。なお、これに加えて、太陽光発電や家庭用燃料電池等による発電エネルギーを含むものとしてもよい。
すなわち、例えば、自然冷媒ヒートポンプ給湯機や、家庭用燃料電池コージェネレーションシステム等は、電力とともにガスや水道、発電エネルギーを使用する仕組みとなっており、本実施の形態の住宅には、これら自然冷媒ヒートポンプ給湯機、家庭用燃料電池コージェネレーションシステム等のように、電力とともにガスや水道、または発電エネルギーが連携して使用される機器が採用されているものとする。
また、どの分岐回路に、どのような機器が接続されるかは、予め前記記憶手段６に記憶させておくようにする。
なお、前記分岐回路２１〜３６で消費されるエネルギーが発電エネルギーを含んでいる場合は、単に発電エネルギーの消費量だけを考慮するのではなく、そのコストやＣＯ２排出量を考慮した演算方法が採用される。
【００４９】
前記外出認識手段５は、居住者が外出する際に、この外出認識手段５を介して居住者の外出を前記制御部２に認識させるためのものである。この外出認識手段５としては、例えば、筐体の外側に設けられる押ボタン式で、ボタンの「入」「切」で前記制御部２に外出を認識させるものや、表示モニタ３に外出認識のためのメニューとして表示し、操作部である入力手段４の操作によって前記制御部２に外出を認識させるようにしたものでもよい。本実施の形態においては後者を採用しているものとする。
そして、制御部２は、居住者の外出を認識した時に表示プログラムを実行し、現在のエネルギー消費量を表示モニタ３に表示し、エネルギー消費状況を居住者に知らせることができる。この時、予め、外出時用のエネルギー消費量の基準値を設定しておき、この外出用基準値と、外出時現在のエネルギー消費量とを比較し、過大なエネルギー消費の有無を確認できるようにしても良い。
なお、外出用の基準値とは、外出時には消費を完全に停止したいエネルギーや、消費を抑えた状態にしたいエネルギーや、消費を維持継続した状態を保持したいエネルギーを考慮したものである。例えば、外出時において、キッチンのガスや水道は完全に消費を停止したい、冷蔵庫や防犯装置は消費を維持継続した状態保持したい等の居住者の生活事情を考慮している。
このように外出認識手段５を備えることによって、外出時にも省エネを促進できるので好ましい。
【００５０】
また、前記記憶手段６は、図１に示すように、前記制御部２の制御によって実行される各種プログラムが格納されるプログラム記憶部７と、これら各種プログラムを実行するために必要な各種データが格納されるデータ記憶部８とを有している。
【００５１】
前記プログラム記憶部７には、前記表示モニタ３に諸情報を表示するための前記表示プログラム７ａと、計測された分岐回路２１〜３６別のエネルギー消費量と該分岐回路２１〜３６別に設定されたエネルギー消費量の基準値とを比較し、基準値よりも過大にエネルギーを消費している分岐回路を判定するための比較判定プログラム７ｂと、基準値よりも過大にエネルギーを消費していると判定された分岐回路２１〜３６のうち、エネルギー消費量が多い分岐回路から少ない分岐回路の順番で省エネアドバイスを行うためのアドバイスプログラム７ｃと、例えば前記基準値を、分岐回路２１〜３６別の過去のエネルギー消費量の平均値とする場合に該基準値を過去のデータから算出するための基準値算出プログラム７ｄと、例えば前記基準値の数値を変更するための基準値変更プログラム７ｅとが格納されている。
なお、このプログラム記憶部７に格納されるプログラムは、上述したものだけに限られるものではなく、適宜追加可能である。
【００５２】
前記データ記憶部８には、エネルギー消費量と比較される基準値がデータ化された基準値データ８ａと、前記アドバイスプログラム７ｃに基づいて表示モニタ３に表示される省エネアドバイスの用例となるアドバイスデータ８ｂと、前記複数の分岐回路２１〜３６別のエネルギー消費量の過去データ８ｃと、例えば前記基準値を、略同一規模の世帯における標準的な複数の分岐回路別のエネルギー消費量に基づいて設定する場合の標準値データ８ｄとが格納されている。
なお、前記標準値データ８ｄは、複数の地域別に分類されており、前記基準値を、略同一規模の世帯における標準的な複数の分岐回路別のエネルギー消費量に基づいて設定する場合には、建物が建築される地域ごとに、適宜、標準値データ８ｄを決定する。
【００５３】
基準値データ８ａは、複数の分岐回路２１〜３６別に設定されており、本実施の形態においては、分岐回路２１〜３６別の過去のエネルギー消費量の平均値を算出することによって生成されている。なお、エネルギー消費量の過去のデータは、上述のように、過去データ８ｃとして前記記憶手段６のデータ記憶部８に格納されており、日常的にデータを蓄積している。
また、エネルギー消費量の過去データ８ｃから基準値を算出する際は、前記プログラム記憶部７に格納された基準値算出プログラム７ｄを実行することによって算出している。すなわち、この基準値算出プログラム７ｄは演算装置として機能しており、多数の過去データ８ｃから基準値を算出できる。
【００５４】
また、このエネルギー消費量の過去データ８ｃから算出した平均値のデータを元に、居住者が任意に数値を変更して、基準値の数値を変更してもよい。基準値の数値を変更する際は、前記プログラム記憶部７に格納された基準値変更プログラム７ｅを実行する。
この基準値変更プログラム７ｅは、前記表示プログラム７ａと連動して表示モニタ３上に平均値データを表示するとともに、表示モニタ３上に、該平均値データの数値に任意の数値を加算・減算または直接入力可能な画面構成を構築するものである。
【００５５】
また、このように基準値の数値を増減する際は、際限なく数値を増減させてしまうと好ましくないため、この基準値変更プログラム７ｅは、基準値の推奨上限値をアドバイスできるように構成されている。
この推奨上限値は、図１４に示すように、「最大電力」・「中間電力」・「最小電力」の３種類に分けられており、居住者は、３種類の推奨上限値のうち、いずれか１つを選択できるようになっている。
「最大電力」は、例えば、過去７日間における電力消費量の各日最大値のうちの最大値に基づいて設定されている。
「最小電力」は、例えば、過去７日間における電力消費量の各日最小値のうちの最大値に基づいて設定されている。
「中間電力」は、「最大電力」と「最小電力」との中間値に基づいて設定されている。
【００５６】
また、前記基準値は、上述のように、略同一規模の世帯における標準的な複数の分岐回路別のエネルギー消費量に基づいて設定してもよい。この時、基準値は、前記標準値データ８ｄに基づいて決定される。また、この標準値データ８ｄは複数の地域別に分類されているため、基準値を決定する際は、建物が建築される地域の標準値データ８ｄに基づいて決定される。
なお、この標準値データ８ｄは、省エネアドバイス装置１に備えられる図示しない通信装置によって、データを更新できるようにしてもよい。
【００５７】
なお、上述のように本実施の形態の基準値は、分岐回路２１〜３６別の過去のエネルギー消費量の平均値を算出するものとしたが、これに限られるものではなく、前記基準値変更プログラム７ｅを実行して数値を変更した基準値としてもよいし、推奨上限値を採用した基準値としてもよいし、前記標準値データ８ｄに基づいて決定された基準値としてもよい。
また、この基準値は、少なくとも、前記比較判定手段によって、計測されたエネルギー消費量と基準値とを比較する前に予め居住者が選択しておけばよい。
【００５８】
前記表示プログラム７ａは、前記表示モニタ３に、省エネを促進するための諸情報を表示することができる。
具体的には、図示はしないが、現在値として、住宅内全体のエネルギー消費量を種類別（電力・ガス・水道）に表示できるとともに、分岐回路２１〜３６別での種類別エネルギー消費量を表示することができる。さらに、分岐回路２１〜３６別のエネルギー消費量の基準値とを表示することができる。
また、前記外出認識手段５と連動して、上述のように外出時現在のエネルギー消費状況を表示することができる。
【００５９】
また、累積値として、図６に示すように、住宅内全体の期間別（日間・週間・月間・年間）エネルギー消費量を表示することができる。図６に示す表示モニタ３の画面は、日間のエネルギー消費量であり、日間の場合は、ＡＭ（午前）・ＰＭ（午後）・２４Ｈ（２４時間）に分類して表示できるようになっている。図６では、ＡＭ（午前）の場合のエネルギー消費量が表示されている。
【００６０】
また、累積値として、図７に示すように、分岐回路２１〜３６別での種類別エネルギー消費量を表示することができる。図７に示す表示モニタ３の画面では、日間（ＡＭ）でのリビング（分岐回路２１）のエネルギー消費量を示している。
【００６１】
また、比較判定結果として、図８に示すように、住宅内全体の期間別（日間・週間・月間・年間）エネルギー消費量と、基準値とを隣り合うようにして表示することができる。
図８に示す表示モニタ３の画面では、月間での住宅内全体のエネルギー消費量および月間の基準値とが表示されている。
【００６２】
また、比較判定結果として、図９に示すように、分岐回路２１〜３６別での種類別エネルギー消費量と、分岐回路２１〜３６別に設定された基準値とを隣り合うようにして表示することができる。さらに、分岐回路２１〜３６別での種類別エネルギー消費量と、分岐回路２１〜３６別に設定された基準値とは、期間別（日間・週間・月間・年間）にも表示できる。
図９に示す表示モニタ３の画面では、月間での、分岐回路２１（リビングエリア）の種類別エネルギー消費量と、分岐回路２１〜３６別に設定された基準値とが表示されている。
【００６３】
また、図１０に示すように、表示モニタ３には、前記比較判定手段によって、基準値よりも過大にエネルギーを消費している分岐回路２１〜３６が判定された場合に警告を表示することができる。
なお、この警告表示は、前記複数の分岐回路２１〜３６のエネルギー消費量と基準値とを比較判定した後だけでなく、現在値としてエネルギー消費量を表示モニタ３に表示する際に、分岐回路２１〜３６のエネルギー消費量が過大である場合にも表示できるように設定してもよい。
【００６４】
また、図１１に示すように、表示モニタ３には、アドバイスモード選択画面を表示することができる。このアドバイスモード選択画面は、基準値よりも過大にエネルギーを消費していると判定された分岐回路２１〜３６に対して行う省エネアドバイスの形式を複数表示し、これら複数の形式を選択可能に構成したものである。
これら複数の形式は、表示モニタ３の画面上で、選択ボタンとして構成されており、居住者は、入力手段４の操作により、複数の形式のうちいずれか１つを選択できるようになっている。
これら複数の形式は、「消費量削減モード」・「消費量増加抑制モード」・「コスト削減モード」・「利用時間帯によるコスト削減モード」「一般的アドバイスモード」とからなる。
【００６５】
「消費量削減モード」は、本実施の形態における標準仕様のモードであり、基準値よりも過大にエネルギーを消費していると判定された分岐回路２１〜３６のうち、単純に、エネルギー消費量が多い分岐回路から少ない分岐回路の順番で、消費量の削減に向けたアドバイスを、表示モニタ３上に表示するモードである。
【００６６】
「消費量増加抑制モード」は、基準値よりも過大にエネルギーを消費していると判定された分岐回路２１〜３６のうち、エネルギー消費量の増加が大きい順番で、増加抑制に向けたアドバイスを表示モニタ３上に表示するモードである。
【００６７】
「コスト削減モード」は、基準値よりも過大にエネルギーを消費していると判定された分岐回路２１〜３６のうち、エネルギーコストが大きい順番で、コスト削減に向けたアドバイスを表示モニタ３上に表示するモードである。
【００６８】
「利用時間帯によるコスト削減モード」は、基準値よりも過大にエネルギーを消費していると判定された分岐回路２１〜３６を、日間データにおける時間帯別電力料金を加味した分岐回路別のコスト削減アドバイスを、表示モニタ３上に表示するモードである。
【００６９】
「一般的アドバイスモード」は、基準値よりも過大にエネルギーを消費していると判定された分岐回路２１〜３６に接続された機器の適切な使用方法や、省エネに向けたヒント等をアドバイスとして、表示モニタ３上に表示するモードである。
【００７０】
なお、本実施の形態においては、複数のモードを用意したが、これら複数のモードを統合したものを表示できるようにしてもよい。
また、表示プログラム７ａの設定次第で、モード選択画面を表示せずに、自動的に、標準仕様の「消費量削減モード」へと移行できるようにしてもよい。同じく、「消費量削減モード」以外の他のモードへ自動的に移行できるように設定してもよい。
【００７１】
また、以上のような省エネアドバイスの具体例として、例えば図１２に示すようなものがある。このような省エネアドバイスの具体例は、アドバイスデータ８ｂとして前記データ記憶部８に格納されており、前記複数のモードの選択に対応する省エネアドバイスを、表示モニタ３上に表示することができる。
【００７２】
また、図１３に示すように、前記表示モニタ３には、省エネアドバイスを表示することができる。この画面では、エネルギー消費量が多い順で並べられた分岐回路を適宜選択することによって当該分岐回路に対する省エネアドバイスを表示できるようになっている。
この図１３では、例えば、分岐回路２１のリビングエリア向けの省エネアドバイスが表示されている。
【００７３】
なお、本実施の形態の表示プログラム７ａは、前記複数の分岐回路２１〜３６のエネルギー消費量が基準値よりも過大である場合には、上述のように警告を表示したり、省エネアドバイスを表示したりするが、過大ではない場合には、警告は表示されないのはもちろんのこと、省エネアドバイスも表示されないように設定されている。
【００７４】
また、表示モニタ３には、図６〜図１０，図１４に示すように、表示画面に表示されている情報が、日間・週間・月間・年間のうち、どの期間に基づく情報なのかを判別するための期間判別部３ａが表示されている。この期間判別部３ａの「●」カーソルは、操作部である入力手段４の操作によって移動させることができ、「●」カーソルを移動させることによって、期間別の表示を、日間・週間・月間・年間のいずれかに切り替えることができる。
なお、日間の場合は、さらに表示を、ＡＭ（午前）・ＰＭ（午後）・２４Ｈ（２４時間）のいずれかに切り替えることができる。
【００７５】
また、表示モニタ３には、図６〜図１０に示すように、表示画面に表示されている情報が、電力・ガス・水道のうち、いずれの種類のエネルギーに係る情報なのかを判別するためのエネルギー種類判別部３ｂが表示されている。このエネルギー種類判別部３ｂのアイコンを囲むカーソルは、操作部である入力手段４の操作によって移動させることができ、カーソルを移動させることによって、エネルギー種類別の表示を、電力・ガス・水道のいずれかに切り替えることができる。
【００７６】
また、表示モニタ３には、図６〜図９に示すように、計測されたエネルギー消費量を確認するための消費量表示部３ｃが表示されている。
この消費量表示部３ｃでは、計測されたエネルギー消費量だけでなく、消費されたエネルギーの料金も表示できるようになっている。さらに、図示はしないが、これらエネルギー消費量および料金とともに、消費されたエネルギーのＣＯ２排出量も表示できるようにしてもよい。さらに、住宅全体のエネルギー消費量に対する当該分岐回路のエネルギー消費量の割合や、住宅全体のエネルギーコストに対する当該分岐回路のエネルギーコストの割合を表示することもできる。
【００７７】
また、表示モニタ３には、図８および図９に示すように、計測されたエネルギー消費量と比較される基準値が表示される基準値表示部３ｄが表示されている。
エネルギー消費量の比較判定プログラムが実行された際には、消費量表示部３ｃと隣接するようにして表示され、居住者が、計測されたエネルギー消費量の数値と基準値の数値とを見比べて確認できるようになっている。
【００７８】
また、表示モニタ３には、図７および図９に示すように、複数の分岐回路２１〜３６の一覧が表示される分岐回路表示部３ｅが表示されている。この分岐回路表示部３ｅの「■」カーソルは、操作部である入力手段４の操作によって移動させることができ、「■」カーソルを移動させることによって、消費量表示部３ｃでの分岐回路２１〜３６別の表示を切り替えることができる。
なお、図９に示す分岐回路表示部３ｅでは、リビング・エアコン・第１キッチン・１階照明・第１エアコンの項目が、「四角枠」で囲まれた表示となっているが、これら四角枠で囲まれた分岐回路２１，２３，２４，２９，３１は、比較判定の結果、基準値よりも過大にエネルギーを消費していると判定された分岐回路を指している。
【００７９】
また、表示モニタ３には、図６および図７に示すように、住宅内全体の期間別エネルギー消費量や、分岐回路２１〜３６別での種類別エネルギー消費量を表示する画面から、図８および図９に示すような比較判定結果を表示する画面へと切り替えるための比較判定結果表示切替ボタン３ｆが表示されている。
この比較判定結果表示切替ボタン３ｆは、操作部である入力手段４の操作によって動作させることができる。
【００８０】
また、表示モニタ３には、図９に示すように、複数の分岐回路２１〜３６の表示を並べ替えるための並べ替えボタン３ｇが表示されている。すなわち、この並べ替えボタン３ｇは、前記表示プログラム７ａと連動しており、表示モニタ３に表示される画面を適宜切り換えることができるものである。この並べ替えボタン３ｇは、操作部である入力手段４の操作によって動作させることができる。
なお、この並べ替えボタン３ｇによる並べ替えで表示できる画面としては、上述のような住宅全体のエネルギー消費量に対する当該分岐回路のエネルギー消費量の割合や、住宅全体のエネルギーコストに対する当該分岐回路のエネルギーコストの割合を表示できるようになっている。
【００８１】
また、表示モニタ３には、図１０に示すように、前記比較判定手段によって、基準値よりも過大にエネルギーを消費している分岐回路２１〜３６が判定された場合に警告を表示する警告表示部３ｈが表示されている。
なお、この警告表示部３ｈに表示される警告内容は、少なくとも、どの分岐回路が、どれだけエネルギー消費量が過大であるかという情報が含まれている。また、このように警告表示部３ｈが表示された後は、自動的に前記アドバイスモード選択画面へと移行する。
【００８２】
また、図１１に示すアドバイスモード選択画面には、上述のように、「消費量削減モード」・「消費量増加抑制モード」・「コスト削減モード」・「利用時間帯によるコスト削減モード」「一般的アドバイスモード」を選択するための選択ボタンが表示されている。
すなわち、消費量削減モード選択ボタン３ｉと、消費量増加抑制モード選択ボタン３ｊと、コスト削減モード選択ボタン３ｋと、利用時間帯によるコスト削減モード選択ボタン３ｌと、一般的アドバイスモード選択ボタン３ｍとが表示されている。
これら各選択ボタン３ｉ，３ｊ，３ｋ，３ｌ，３ｍは、操作部である入力手段４の操作によって動作させることができる。そして、それぞれの選択ボタンを押すことによって、それぞれのモードに対応した省エネアドバイス表示画面へと画面を移行させることができる。
【００８３】
また、表示モニタ３には、図１３に示すように、省エネアドバイスの対象とされ、基準値よりも過大にエネルギーを消費している分岐回路の順位および当該分岐回路の名称が表示されるアドバイス対象表示部３ｎが表示されている。
消費量順位表示欄は、「▽」ボタンを押すことによって、基準値よりも過大にエネルギーを消費している分岐回路の順位が候補として表示されるように設定されており、分岐回路名称表示欄は、順位に対応した分岐回路の名称が自動的に表示されるように設定されている。
例えば、本実施の形態においては、リビングエリアの分岐回路２１が、エネルギー消費量順位において２位とされている。したがって、図１３に示すアドバイス対象表示部３ｎの消費量順位表示欄を「２位」に合わせると、分岐回路名称表示欄には「リビング」と表示されるようになっている。
なお、このアドバイス対象表示部３ｎの表示が完了すると、これに対応する省エネアドバイスが画面上に自動的に表示されるように設定されている。
【００８４】
なお、本実施の形態のアドバイス手段は、基準値よりも過大にエネルギーを消費していると判定された分岐回路２１〜３６のうち、エネルギー消費量が多い分岐回路から少ない分岐回路の順番で省エネアドバイスを行うように設定されている一方、エネルギー消費量が基準値と略同量および基準値以下であると判定された分岐回路２１〜３６については省エネアドバイスを行わないように設定されている。
【００８５】
省エネアドバイス装置１によって省エネアドバイスを行う手順について説明する。
図５は本発明に係る省エネアドバイス装置１による省エネアドバイスの処理の流れを示すフローチャートである。
【００８６】
まず、前記分電盤２０に搭載された電力計測手段３７（図２）や、省エネアドバイス装置１とガスメーター３８との間に設けられたパルスカウンター３８ａ（図３）や、省エネアドバイス装置１と流量センサー３９…との間に設けられたパルスカウンター３９ａ（図４）により、各分岐回路２１〜３６別にエネルギー消費量を計測し、そのデータを過去データとして前記記憶手段６のデータ記憶部８へと蓄積する（ステップＳ１）。
なお、各分岐回路２１〜３６別のエネルギー消費量の計測およびデータの蓄積は常時行われている。
【００８７】
続いて、前記比較判定手段によって、複数の分岐回路２１〜３６別のエネルギー消費量と、該該複数の分岐回路２１〜３６別に設定されたエネルギー消費量の基準値とをそれぞれ比較する（ステップＳ２）。
【００８８】
続いて、前記比較判定手段によって、ステップＳ２で基準値と比較された複数の分岐回路２１〜３６のエネルギー消費量が、該基準値よりも過大であるか否かの判定を行う（ステップＳ３）。
ここで、エネルギー消費量が基準値よりも過大であると判定された分岐回路については次のステップＳ４へと移行し、エネルギー消費量が基準値と略同量および基準値以下であると判定された分岐回路については、省エネアドバイスは行われずに処理が終了となる。
【００８９】
ステップＳ４では、図１１に示すようなアドバイスモード選択画面において、「消費量削減モード」・「消費量増加抑制モード」・「コスト削減モード」・「利用時間帯によるコスト削減モード」「一般的アドバイスモード」の複数のアドバイスモードから、居住者が、任意のアドバイスモードを選択する。
【００９０】
続いて、図１３に示すように、ステップＳ４で選択されたアドバイスモードに対応した省エネアドバイス表示画面を表示して、居住者に対して最適な省エネアドバイスを行う（ステップＳ５）。例えば「消費量削減モード」における省エネアドバイスは、基準値よりも過大にエネルギーを消費していると判定された分岐回路２１〜３６のうち、エネルギー消費量が多い分岐回路から少ない分岐回路の順番で、消費量の削減に向けたアドバイスが表示モニタ３上に表示される。
以上のような流れが省エネアドバイスの処理の基本的な流れとなっている。ただし、ステップＳ４におけるアドバイスモードの選択は、上述のように省略可能となっているので、ステップＳ３からステップＳ５へと直接移行するもある。
【００９１】
本実施の形態によれば、前記複数の分岐回路２１〜３６別のエネルギー消費量と基準値とをそれぞれ比較し、基準値よりも過大にエネルギーを消費している分岐回路２１〜３６を判定する比較判定手段と、基準値よりも過大にエネルギーを消費していると判定された分岐回路２１〜３６のうち、エネルギー消費量が多い分岐回路から少ない分岐回路の順番で省エネアドバイスを行うアドバイス手段とを備えているので、どの分岐回路の省エネ行動を優先的に実施すべきかを容易に判明させることができる。これによって、居住者は、前記アドバイス手段によってアドバイスされる省エネアドバイスに従って省エネ行動を実施するだけで、容易かつ効果的に省エネすることが可能となる。また、基準値よりも過大にエネルギーを消費していると判定された分岐回路だけを省エネの対象とするので、省エネアドバイスに従って省エネ行動を実施したとしても、居住者の生活の快適性が損なわれることを確実に防ぐことができる。
【００９２】
また、前記分岐回路２１〜３６で消費されるエネルギーは、該分岐回路２１〜３６に接続された機器に使用される電力と、電力と連携して使用されるガスおよび水道とを含んでいるので、電力の省エネだけを行うのではなく、ガスおよび水道の省エネを行うこともでき、建物全体の省エネ効果を高めることができる。
【００９３】
また、前記アドバイス手段は、エネルギー消費量が基準値と略同量および基準値以下であると判定された分岐回路２１〜３６については省エネアドバイスを行わないように設定されているので、居住者に対して、過大にエネルギーを消費している分岐回路だけを省エネの対象と認識させることができる。これによって、より容易かつ効果的に省エネすることができるとともに、居住者の生活の快適性が損なわれることを、より確実に防ぐことができる。
【００９４】
また、前記基準値は、分岐回路２１〜３６別の過去のエネルギー消費量の平均値とされているので、居住者の生活に見合った基準値を設定することができる。これによって、居住者の生活の快適性が損なわれることを、さらに確実に防ぐことができる。
【００９５】
また、前記基準値を、略同一規模の世帯における標準的な複数の分岐回路別のエネルギー消費量に基づいて設定する場合は、前記複数の分岐回路２１〜３６のエネルギー消費量の程度を、標準値に照合して判定できる。これによって、分岐回路２１〜３６別の標準的なエネルギー消費量を知ることができるので、居住者に対して、省エネ意識の深化を促すことができる。
また、前記標準的な複数の分岐回路別のエネルギー消費量は、前記建物が建築される地域ごとに決定される。これによって、前記建物が建築される地域の生活環境に見合った基準値を設定することができるので、居住者に対して、省エネ意識の深化を促しながら、居住者の生活の快適性が損なわれることを、より確実に防ぐことができる。
【００９６】
また、前記基準値の数値を変更する基準値変更手段を備えているので、居住者の生活に見合った基準値となるように、居住者の任意で基準値の数値を変更することができる。これによって、居住者の生活の快適性が損なわれることを、さらに確実に防ぐことができる。
【００９７】
また、前記アドバイス手段は、前記基準値変更手段によって基準値の数値を変更する際に、該基準値の推奨上限値についてアドバイスを行うように設定されているので、居住者に対して、基準値が高くなりすぎないように注意喚起することができ、省エネ効果の低下を確実に防ぐことができる。
【００９８】
また、少なくとも前記複数の分岐回路２１〜３６の現在のエネルギー消費量と、分岐回路２１〜３６別のエネルギー消費量の基準値とを表示する表示手段を備えているので、前記複数の分岐回路２１〜３６の現在のエネルギー消費量と、分岐回路２１〜３６別の基準値とを確実に認識できるとともに容易に比較できる。
【００９９】
また、前記表示手段は、前記比較判定手段によって、基準値よりも過大にエネルギーを消費している分岐回路２１〜３６が判定された場合に警告を表示するように設定されているので、警告が表示されたことを確実に認識することができるので、速やかに省エネ行動を実施することができる。
【符号の説明】
【０１００】
１  省エネアドバイス装置
２  制御部
３  出力手段（表示モニタ）
４  入力手段
６  記憶手段
７  プログラム記憶部
８  データ記憶部
８ａ  基準値データ
８ｂ  アドバイスデータ
２０  分電盤
２１〜３６  分岐回路
【図１】
2012048511.tif 000003
【図２】
2012048511.tif 000004
【図３】
2012048511.tif 000005
【図４】
2012048511.tif 000006
【図５】
2012048511.tif 000007
【図６】
2012048511.tif 000008
【図７】
2012048511.tif 000009
【図８】
2012048511.tif 000010
【図９】
2012048511.tif 000011
【図１０】
2012048511.tif 000012
【図１１】
2012048511.tif 000013
【図１２】
2012048511.tif 000014
【図１３】
2012048511.tif 000015
【図１４】
2012048511.tif 000016